(57)【要約】【課題】強い電流が積載でき、小型化に有利である電気コネクタを提供する。【解決手段】本発明の電気コネクタは、インシュレータと、前記インシュレータに装着され、一端において第１方向に一列に並設して形成された半田部をそれぞれ有する第１端子と第２端子とを含む導電端子とを含む電気コネクタにおいて、前記第２端子の半田部と該第２端子に隣接した第１端子の半田部との間の距離は隣接した第１端子の半田部の距離と同じで、前記第１方向で第２端子の半田部の幅は第１端子の半田部の幅より広い。前記第２端子の半田部と該第２端子に隣接した第１端子の半田部との間の距離は隣接した第１端子の半田部の距離と同じであるので、電気コネクタの小型化に有利で、また、第２端子の半田部の幅が第１端子の半田部の幅より広いことで、第２端子に強い電流が積載できる。【選択図】図３
2008135394.tif 000002
【特許請求の範囲】
【請求項１】
第１方向に沿って延出するように形成された基部を有するインシュレータと、
一端において第１方向に一列に並設され、前記インシュレータから突出している半田部と、他端に形成されたコンタクト部とをそれぞれ有し、第１端子と第２端子とを含む複数の導電端子と、
を含む電気コネクタにおいて、
前記第１方向に正交する第２方向で、前記コンタクト部の中心線が第２方向に平行で、隣接した各コンタクトの中心線の間の距離が同じで、且つ第１方向で、第２端子の半田部の幅は第１端子の半田部の幅より広いことを特徴とする電気コネクタ。
【請求項２】
前記第２端子の半田部は、第１方向で、前記複数の第１端子の半田部の外側に配置されていることを特徴とする、請求項１に記載の電気コネクタ。
【請求項３】
前記複数の導電端子は、前記インシュレータによって保持されている保持部と、保持部から延出するように形成されたコンタクト部と、を含み、隣接したコンタクト部の幅は同じであることを特徴とする、請求項１または２に記載の電気コネクタ。
【請求項４】
前記第１端子はシグナルを伝送する信号端子であり、第２端子は電力を伝送する電源端子であることを特徴とする、請求項１から４のいずれかの一項に記載の電気コネクタ。
【請求項５】
前記インシュレータは、前記基部から延出するように形成された上下舌板を有し、上下舌板は内側壁と外側壁とをそれぞれ形成し、前記上下舌板の内側壁には、前記複数の導電端子を収容するための収容溝がそれぞれ形成されていることを特徴とする、請求項１から５のいずれかの一項に記載の電気コネクタ。
【請求項６】
第１方向に沿って延出するように形成された基部を有するインシュレータと、
一端において第１方向に一列に並設され、前記インシュレータから突出している半田部と、他端に形成されたコンタクト部とをそれぞれ有し、第１端子と第２端子とを含む複数の導電端子と、
を含む電気コネクタにおいて、
前記第１方向で、前記隣接したコンタクト部の幅が同じで、第２端子の半田部の幅は第１端子の半田部の幅より広いことを特徴とする電気コネクタ。
【請求項７】
前記第２端子の半田部は、第１方向で、前記複数の第１端子の半田部の外側に配置されていることを特徴とする、請求項６に記載の電気コネクタ。
【請求項８】
前記第１端子はシグナルを伝送する信号端子であり、第２端子は電力を伝送する電源端子であることを特徴とする、請求項６または７項に記載の電気コネクタ。
【請求項９】
インシュレータと、
前記インシュレータに装着され、一端において第１方向に一列に並設して形成された半田部をそれぞれ有する第１端子と第２端子とを含む導電端子と、
を含む電気コネクタにおいて、
前記第２端子の半田部と該第２端子に隣接した第１端子の半田部との間の距離は、隣接した第１端子の半田部の距離と同じで、前記第１方向で第２端子の半田部の幅は第１端子の半田部の幅より広いことを特徴とする電気コネクタ。
【発明の詳細な説明】
【技術分野】
【０００１】
本発明は、電気コネクタに関し、特に、端子構造を改良した電気コネクタに関するものである。
【背景技術】
【０００２】
従来技術は特許文献１に示すように、従来の電気コネクタは、インシュレータと、インシュレータに装着された導電端子と、インシュレータの外側を覆っている金属板を曲げ成形したシールドケースと、を含み、前記インシュレータは、長手方向の基部と、基部から前向きに延在するように形成される舌板部とを有する。インシュレータに装着された導電端子は、前記インシュレータに装着するための保持部と、保持部の一端から上向きに延在するように形成されたコンタクト部と、保持部の他端から延在するように形成され、インシュレータを突出する半田付け部と、を有する。前記導電端子は、第１端子組と第２端子組とを有し、その第２端子組が第１端子組の両側に位置するとともに、第１端子組と第２端子組との間に所定の距離を間隔し、かつ、第１端子の幅は第２端子の幅より大きいので、第２端子に強い電流を積載できる。
【特許文献１】日本意匠登録第１２２５７６７号
【発明の開示】
【発明が解決しようとする課題】
【０００３】
しかしながら、前記第２端子が第１端子の両側にそれぞれ配置されるので、前記第１端子と第２端子をそれぞれ製造することを必要であり、前記インシュレータにそれぞれ装着することが必要である。また、第１端子組と第２端子組との間に所定の距離を間隔することで、電気コネクタの小型化に不利で、電気コネクタの製造コストが提高される恐れがあった。そこで、上述した欠点に鑑みて、新型の電気コネクタを開発することが必要である。
【０００４】
本発明は、強い電流が積載でき、小型化に有利である電気コネクタを提供することを目的とする。
【課題を解決するための手段】
【０００５】
前記目的を達成するために、本発明によれば、第１方向に沿って延出するように形成された基部を有するインシュレータと、一端において第１方向で一列に並設されるように前記インシュレータから突出した半田部と、他端に形成されたコンタクト部とをそれぞれ有し、第１端子と第２端子とを含む複数の導電端子と、を含む電気コネクタにおいて、前記第１方向に正交する第２方向で、前記コンタクト部の中心線が第２方向に平行で、隣接した各コンタクトの中心線の間の距離が同じで、且つ第１方向で、第２端子の半田部の幅は第１端子の半田部の幅より広いことを特徴とする電気コネクタが得られる。
【０００６】
また、本発明によれば、第１方向に沿って延出するように形成された基部を有するインシュレータと、一端において第１方向で一列に並設されるように前記インシュレータから突出した半田部と、他端に形成されたコンタクト部とをそれぞれ有し、第１端子と第２端子とを含む複数の導電端子と、を含む電気コネクタにおいて、前記第１方向で、前記隣接したコンタクト部の幅が同じで、第２端子の半田部の幅は第１端子の半田部の幅より広いことを特徴とする電気コネクタが得られる。
【０００７】
また、本発明によれば、インシュレータと、前記インシュレータに装着され、一端において第１方向で一列に並設されるように形成された半田部をそれぞれ有する第１端子と第２端子とを含む導電端子とを含む電気コネクタにおいて、前記第２端子の半田部と該第２端子に隣接した第１端子の半田部との間の距離は、隣接した第１端子の半田部の距離と同じで、前記第１方向で第２端子の半田部の幅は第１端子の半田部の幅より広いことを特徴とする電気コネクタが得られる。
【発明の効果】
【０００８】
従来の技術に比べると、本発明は以下の長所がある。導電端子のコンタクト部の中心線の間の距離が同じで、また、前記第２端子の半田部と該第２端子に隣接した第１端子の半田部との間の距離は隣接した第１端子の半田部の距離と同じであるので、電気コネクタの小型化に有利で、また、第２端子の半田部の幅が第１端子の半田部の幅より広いことで、第２端子に強い電流が積載できる。
【発明を実施するための最良の形態】
【０００９】
図１〜図７に基づいて、本発明の電気コネクタについて説明する。本発明の電気コネクタ１００は、インシュレータ１０と、インシュレータ１０に保持される複数の導電端子２０と、インシュレータ１０の外側を覆っているシールドケース３０と、前記導電端子２０を保護するための絶縁ベース４０と、を含む。
【００１０】
図１を参照すると、前記インシュレータ１０は、Ｘ方向（即ち第１方向）に沿って延在するように形成される基部１１０と、基部１１０からＸ方向に垂直なＹ方向（即ち第２方向）に沿って延出するように形成される舌板部１２０と、を有する。前記基部１１０がＹ方向において先端部と後端部とを有する。前記舌板部１２０は、前記基部１１０の先端部からＸ方向とＹ方向に垂直なＺ方向（即ち第３方向）に沿って互いに間隔で平行に延出するように形成された上舌板１２１及び下舌板１２２を有する。以下、この明細書では、上舌板１２１の上側壁と下舌板１２２の下側壁を総称して外側壁をといい、上舌板１２１の下側壁と下舌板１２２の上側壁を総称して内側壁をという。これによって、Ｚ方向において、前記上下舌板１２１、１２２の内側壁が対向するように配置され、前記上下舌板１２１、１２２の外側壁が互いに背離するように配置される。前記上下舌板１２１、１２２の内側壁にはＹ方向に沿って複数の収容溝１２３がそれぞれ窪んで形成され、上下舌板１２１、１２２の収容溝１２３が交互に配置される。前記上下舌板１２１、１２２の外側壁に凸状リブ１２４が形成され、前記凸状リブ１２４によって上下舌板１２１、１２２の平面度を向上させ、さらに、電気コネクタ１００と相手側コネクタ（図示せず）との嵌合の安定性を向上させる。
【００１１】
図１を参照すると、前記複数の導電端子２０は、第１端子２１と、第１端子２１の両外側に配置される第２端子２２とを有し、第１端子２１はシグナルを伝送する信号端子であり、第２端子２２は電力を伝送する電源端子である。前記第１端子２１と第２端子２２は、インシュレータ１０の保持されるための保持部２１１、２２１と、保持部２１１、２２１の一端からそれぞれ延出するように形成されるコンタクト部２１２、２２２と、保持部２１１、２２１の他端からそれぞれ延出するように形成される半田部２１３、２２３とをそれぞれ含む。前記コンタクト部２１２、２２２が前記舌板部１２０の収容溝１２３に収容し、収容溝１２３の先端にコンタクト部２１２、２２２の末端にそれぞれ当接するための凸部１２５、１２６がそれぞれ形成される。前記第１端子２１のコンタクト部２１２の長さは第２端子２２のコンタクト部２２２より短くなり、これに対応するように、前記第１端子２１のコンタクト部２１２の末端に当接するための凸部１２５の長さは第２端子２２のコンタクト部２２２の末端に当接するための凸部１２６より長くなり、前記凸部１２５、１２６によって、相手側コネクタを挿入する際に、導電端子２０のコンタクト部２１２、２２２が相手側コネクタによって損傷することを防止できる。
【００１２】
図１から図４を参照すると、前記複数の導電端子２０は、インシュレータ１０の基部１１０に保持され、半田部２１３、２２３がインシュレータ１０から突出するようにＸ方向に一列に並設され、第２端子２２の半田部２２３と第１端子２１の半田部２１３とが交互に配置される。Ｘ方向において、各導電端子２０のコンタクト部２１２、２２２の幅は同一で、各コンタクト部２１２、２２２はＹ方向に平行な中心線を有し、隣接したコンタクト部２１２、２２２の中心線の間の距離は同じである。各導電端子２０の半田部２１３、２２３はＸ方向に位置する両側辺を有し、第２端子２２の半田部２２３及びこの第２端子２２に隣接した第１端子の半田部２１３との側辺の間の距離Ｌは、隣接した第１端子２１の半田部２１３の側辺との間の距離Ｌと同じである。この構造によって、電気コネクタの半田効果を向上させるとともに電気コネクタ１００の小型化に有利になる。また、第２端子２２の半田部２２３の幅Ｗ２は第１端子２１の半田部２１３の幅Ｗ１より大きくなる。
【００１３】
前記インシュレータ１０の後端部の両側には凹溝（参照記号なし）がそれぞれ形成され、前記絶縁ベース４０の長手方向の両端に係合部（参照記号なし）がそれぞれ延出するように形成され、該係合部がインシュレータ１０の凹溝に係止することによって、絶縁ベース４０がインシュレータ１０に保持される。また、絶縁ベース４０が導電端子２０に当接することによって、相手側コネクタの挿入による電気コネクタ１００の導電端子２０の後向きへの移動が制限される。
【００１４】
図１から図３を参照すると、前記シールドケース３０は金属板を曲げ成形した角筒状を呈し、天板３１０と、底板３２０と、天板３１０及び底板３２０を連接する両側板３３０とを有し、前記天板３１０と底板３２０と側板３３０とは、相手側コネクタに嵌合するための嵌合筒部３４０からなり、前記嵌合筒部３４０の先端縁には弾性片３４１が形成され、シールドケース３０の天板３１０から折曲って延出するように形成されたシェル部３１４を有し、底板３２０の先端縁の両側に相手側コネクタの誤挿着ための誤挿着防止部材３２１がそれぞれ形成される。相手側コネクタが電気コネクタ１００に挿入された初期段階に、前記弾性片３４１が相手側コネクタのスリット（図示せず）に係合し収容することにより、相手側コネクタが電気コネクタ１００に斜めに挿入されることを防止でき、電気コネクタ１００の隣接した導電端子２０を短絡し接続することが防止される。前記シェル部３１４が絶縁ベース４０に当接して覆うことにより、絶縁ベース４０の後向きへの移動が制限されるとともに絶縁ベース４０がインシュレータ１０から外れることを防止でき、また、導電端子２０の電磁障害に邪魔されることが減少する。
【００１５】
前記第２端子２２の半田部２２３の幅Ｗ２は第１端子２１の半田部２１３の幅Ｗ１より広いので、第２端子２２に強い電流が積載でき、前記第１端子２１と第２端子２２が同一の金属板から打ち抜かれることによって形成され、且つ、インシュレータ１０の舌板部１２０の収容溝１２３に同時に装着することが可能となる。これらによって、従来の電気コネクタに比べて、本発明の電気コネクタ１００の製造コストが減少できる。
【００１６】
以上、本発明について、良い実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１７】
【図１】本発明に係る電気コネクタの分解斜視図である。
【図２】本発明に係る電気コネクタの組立斜視図である。
【図３】図２に示す電気コネクタの他の角度から見た組立斜視図である。
【図４】図２に示す電気コネクタの底面図である。
【図５】図４に示す点線に示す部分の拡大図である。
【図６】図２に示す電気コネクタのＶＩ−ＶＩ線に沿う断面図である。
【図７】図２に示す電気コネクタのＶＩＩ−ＶＩＩ線に沿う断面図である。
【符号の説明】
【００１８】
１００  電気コネクタ
１０  インシュレータ
２０  導電端子
２１  第１端子
２２  第２端子
３０  シールドケース
４０  絶縁ベース
１１０  基部
１２０  舌板部
１２１  上舌板
１２２  下舌板
１２３  収容溝
１２４  凸状リブ
１２５、１２６  凸部
２１１、２２１  保持部
２１２、２２２  コンタクト部
２１３、２２３  半田部
【図１】
2008135394.tif 000003
【図２】
2008135394.tif 000004
【図３】
2008135394.tif 000005
【図４】
2008135394.tif 000006
【図５】
2008135394.tif 000007
【図６】
2008135394.tif 000008
【図７】
2008135394.tif 000009